(57)【要約】【課題】ユーザが携行する端末装置に対応する画像を、表示装置に表示しない場合に比べ、情報の提供先となる装置や、情報の提供元をより特定しやすくする。【解決手段】情報処理装置１００は、表示装置２００を備える。また、情報処理装置１００は、ユーザが携行する端末装置３００であって、情報処理装置１００の周囲に位置する端末装置３００を検知する検知手段を備える。さらに、情報処理装置１００には、表示装置２００における表示を制御する表示制御部が設けられている。表示制御部は、検知手段により検知された端末装置３００に対応する画像である端末対応画像３１０を表示装置２００に表示するとともに、端末装置３００へ提供される情報に対応する画像である情報対応画像３２０を、表示装置２００に表示する。【選択図】図７
2019090943.tif 000002
【特許請求の範囲】
【請求項１】
表示装置と、
ユーザが携行する端末装置であって周囲に位置する端末装置を検知する検知手段と、
前記検知手段により検知された端末装置に対応する画像である端末対応画像を前記表示装置に表示するとともに、当該端末装置へ提供される情報に対応する画像である情報対応画像を、当該表示装置に表示する表示制御手段と、
を備える情報処理装置。
【請求項２】
前記情報対応画像を前記端末対応画像に動かす操作に基づいて、当該端末対応画像に対応する端末装置に、当該情報対応画像に対応した情報が提供される請求項１に記載の情報処理装置。
【請求項３】
前記表示装置の表示画面が上方に向くように当該表示装置は設けられ、
前記情報処理装置を上方から眺めた場合において、
前記表示装置の前記表示画面の中央部から前記端末装置に向かう方向と、当該中央部から前記端末対応画像に向かう方向とが揃うように、当該端末対応画像が当該表示装置に表示される請求項１又は２に記載の情報処理装置。
【請求項４】
前記表示装置は、表示画面を有し、
前記表示制御手段は、前記端末対応画像を、前記情報対応画像よりも、前記表示画面の周縁に近い側に表示する請求項１乃至３の何れかに記載の情報処理装置。
【請求項５】
前記表示制御手段は、前記表示画面の中央部に、前記情報対応画像を表示する請求項４に記載の情報処理装置。
【請求項６】
前記情報対応画像と前記端末対応画像とを対応付ける操作がなされた場合に、予め定められた処理を行う処理手段をさらに備える請求項１乃至５の何れかに記載の情報処理装置。
【請求項７】
前記処理手段は、前記情報対応画像の少なくとも一部と前記端末対応画像の少なくとも一部とを重ねる操作がなされた場合に、前記予め定められた処理を行う請求項６に記載の情報処理装置。
【請求項８】
前記処理手段は、前記情報対応画像および前記端末対応画像の少なくとも一方を他方に向けて移動させる操作がなされた場合に、前記予め定められた処理を行う請求項６に記載の情報処理装置。
【請求項９】
前記情報処理装置の周囲に位置するユーザの動きであって、当該情報処理装置の周方向における動きを検知する検知手段をさらに備え、
前記表示制御手段は、前記情報処理装置の周囲に位置するユーザが前記周方向へ動いた場合に、前記表示装置における表示の内容を変更する請求項１乃至８の何れかに記載の情報処理装置。
【請求項１０】
前記表示制御手段は、ユーザが前記周方向へ動いた場合、前記表示装置の表示画面に表示されている画像を、当該表示画面の周縁に沿って移動させる請求項９に記載の情報処理装置。
【請求項１１】
前記情報処理装置は、柱状に形成され、一方の端部が床面側に設置され、他方の端部に、上方を向く前記表示装置が設置されている請求項１乃至１０の何れかに記載の情報処理装置。
【請求項１２】
前記情報処理装置は、断面形状が円形または楕円形に形成され、前記表示装置の表示画面は、円形又は楕円形に形成されている請求項１１に記載の情報処理装置。
【請求項１３】
前記表示制御手段は、前記情報処理装置の周囲に前記端末装置が複数位置する場合、前記表示装置に、各端末装置に対応する端末対応画像を表示する請求項１乃至１２の何れかに記載の情報処理装置。
【請求項１４】
前記表示装置の表示画面が上方に向くように当該表示装置は設けられ、
前記情報処理装置を上方から眺めた場合において、
前記表示装置の表示画面の中央部から前記端末装置に向かう方向と、当該中央部から、当該端末装置に対応する前記端末対応画像に向かう方向とが揃うように、当該端末対応画像の各々が当該表示装置に表示される請求項１３に記載の情報処理装置。
【請求項１５】
発光体をさらに備え、
前記情報処理装置の周囲に位置するユーザについての情報を、前記発光体の色を変化させることで表示するユーザ情報表示手段を更に備える請求項１乃至１４の何れかに記載の情報処理装置。
【請求項１６】
表示装置と、
ユーザが携行する端末装置であって周囲に位置する端末装置を検知する検知手段と、
前記検知手段により検知された端末装置に対応する画像である端末対応画像を前記表示装置に表示するとともに、当該端末装置の携行者から提供される情報に対応する画像である情報対応画像を、当該表示装置に表示する表示制御手段と、
を備える情報処理装置。
【請求項１７】
前記表示制御手段は、前記端末対応画像と前記情報対応画像とを対応付けた状態で、当該端末対応画像および当該情報対応画像を前記表示装置に表示する請求項１６に記載の情報処理装置。
【請求項１８】
前記表示制御手段は、前記端末対応画像の少なくとも一部と前記情報対応画像の少なくとも一部とが重なる状態で、当該端末対応画像および当該情報対応画像を前記表示装置に表示する請求項１７に記載の情報処理装置。
【請求項１９】
前記表示制御手段は、対応付いた前記端末対応画像および前記情報対応画像を、前記表示装置の表示画面の中央部および周縁のうちの、当該周縁に近い側に表示する請求項１７に記載の情報処理装置。
【請求項２０】
前記表示制御手段は、前記端末装置の携行者から提供される前記情報が送信された場合に、前記情報対応画像を消去する請求項１６乃至１９の何れかに記載の情報処理装置。
【請求項２１】
表示装置を備えた情報処理装置に設けられたコンピュータ装置にて実行可能なプログラムであり、
前記情報処理装置の周囲に位置する端末装置に対応する画像である端末対応画像を前記表示装置に表示する機能と、
前記端末装置へ提供される情報に対応する画像である情報対応画像を、前記表示装置に表示する機能と、
をコンピュータ装置に実現するためのプログラム。
【請求項２２】
表示装置を備えた情報処理装置に設けられたコンピュータ装置にて実行可能なプログラムであり、
前記情報処理装置の周囲に位置する端末装置に対応する画像である端末対応画像を前記表示装置に表示する機能と、
前記端末装置の携行者から提供される情報に対応する画像である情報対応画像を、前記表示装置に表示する機能と、
をコンピュータに実現させるためのプログラム。
【発明の詳細な説明】
【技術分野】
【０００１】
本発明は、情報処理装置およびプログラムに関する。
【背景技術】
【０００２】
特許文献１には、通信相手装置が保有するコンテンツ情報を取得する受信データ処理部と、受信データ処理部が取得したコンテンツ情報を表示するための処理を行う表示処理部と、コンテンツ情報を表示する表示部と、を備える情報処理装置が開示されている。
【先行技術文献】
【特許文献】
【０００３】
【特許文献１】特開２０１１−２４８７６７号公報
【発明の概要】
【発明が解決しようとする課題】
【０００４】
情報の提供先となる装置が、スマートフォンやタブレットなど、ユーザにより携帯される端末装置の場合、その設置位置が変動しやすく、また、ユーザの鞄やポケットなどに収容されることも多く、この場合、情報の提供先を特定しにくくなる。また、端末装置の携行者からの情報の提供にあたっても、この携行者の位置が変動することが多く、情報の提供元を特定しにくくなる。
本発明の目的は、ユーザが携行する端末装置に対応する画像を、表示装置に表示しない場合に比べ、情報の提供先となる装置や、情報の提供元をより特定しやすくすることにある。
【課題を解決するための手段】
【０００５】
請求項１に記載の発明は、表示装置と、ユーザが携行する端末装置であって周囲に位置する端末装置を検知する検知手段と、前記検知手段により検知された端末装置に対応する画像である端末対応画像を前記表示装置に表示するとともに、当該端末装置へ提供される情報に対応する画像である情報対応画像を、当該表示装置に表示する表示制御手段と、を備える情報処理装置である。
請求項２に記載の発明は、前記情報対応画像を前記端末対応画像に動かす操作に基づいて、当該端末対応画像に対応する端末装置に、当該情報対応画像に対応した情報が提供される請求項１に記載の情報処理装置である。
請求項３に記載の発明は、前記表示装置の表示画面が上方に向くように当該表示装置は設けられ、前記情報処理装置を上方から眺めた場合において、前記表示装置の前記表示画面の中央部から前記端末装置に向かう方向と、当該中央部から前記端末対応画像に向かう方向とが揃うように、当該端末対応画像が当該表示装置に表示される請求項１又は２に記載の情報処理装置である。
請求項４に記載の発明は、前記表示装置は、表示画面を有し、前記表示制御手段は、前記端末対応画像を、前記情報対応画像よりも、前記表示画面の周縁に近い側に表示する請求項１乃至３の何れかに記載の情報処理装置である。
請求項５に記載の発明は、前記表示制御手段は、前記表示画面の中央部に、前記情報対応画像を表示する請求項４に記載の情報処理装置である。
請求項６に記載の発明は、前記情報対応画像と前記端末対応画像とを対応付ける操作がなされた場合に、予め定められた処理を行う処理手段をさらに備える請求項１乃至５の何れかに記載の情報処理装置である。
請求項７に記載の発明は、前記処理手段は、前記情報対応画像の少なくとも一部と前記端末対応画像の少なくとも一部とを重ねる操作がなされた場合に、前記予め定められた処理を行う請求項６に記載の情報処理装置である。
請求項８に記載の発明は、前記処理手段は、前記情報対応画像および前記端末対応画像の少なくとも一方を他方に向けて移動させる操作がなされた場合に、前記予め定められた処理を行う請求項６に記載の情報処理装置である。
請求項９に記載の発明は、前記情報処理装置の周囲に位置するユーザの動きであって、当該情報処理装置の周方向における動きを検知する検知手段をさらに備え、前記表示制御手段は、前記情報処理装置の周囲に位置するユーザが前記周方向へ動いた場合に、前記表示装置における表示の内容を変更する請求項１乃至８の何れかに記載の情報処理装置である。
請求項１０に記載の発明は、前記表示制御手段は、ユーザが前記周方向へ動いた場合、前記表示装置の表示画面に表示されている画像を、当該表示画面の周縁に沿って移動させる請求項９に記載の情報処理装置である。
請求項１１に記載の発明は、前記情報処理装置は、柱状に形成され、一方の端部が床面側に設置され、他方の端部に、上方を向く前記表示装置が設置されている請求項１乃至１０の何れかに記載の情報処理装置である。
請求項１２に記載の発明は、前記情報処理装置は、断面形状が円形または楕円形に形成され、前記表示装置の表示画面は、円形又は楕円形に形成されている請求項１１に記載の情報処理装置である。
請求項１３に記載の発明は、前記表示制御手段は、前記情報処理装置の周囲に前記端末装置が複数位置する場合、前記表示装置に、各端末装置に対応する端末対応画像を表示する請求項１乃至１２の何れかに記載の情報処理装置である。
請求項１４に記載の発明は、前記表示装置の表示画面が上方に向くように当該表示装置は設けられ、前記情報処理装置を上方から眺めた場合において、前記表示装置の表示画面の中央部から前記端末装置に向かう方向と、当該中央部から、当該端末装置に対応する前記端末対応画像に向かう方向とが揃うように、当該端末対応画像の各々が当該表示装置に表示される請求項１３に記載の情報処理装置である。
請求項１５に記載の発明は、発光体をさらに備え、前記情報処理装置の周囲に位置するユーザについての情報を、前記発光体の色を変化させることで表示するユーザ情報表示手段を更に備える請求項１乃至１４の何れかに記載の情報処理装置である。
請求項１６に記載の発明は、表示装置と、ユーザが携行する端末装置であって周囲に位置する端末装置を検知する検知手段と、前記検知手段により検知された端末装置に対応する画像である端末対応画像を前記表示装置に表示するとともに、当該端末装置の携行者から提供される情報に対応する画像である情報対応画像を、当該表示装置に表示する表示制御手段と、を備える情報処理装置である。
請求項１７に記載の発明は、前記表示制御手段は、前記端末対応画像と前記情報対応画像とを対応付けた状態で、当該端末対応画像および当該情報対応画像を前記表示装置に表示する請求項１６に記載の情報処理装置である。
請求項１８に記載の発明は、前記表示制御手段は、前記端末対応画像の少なくとも一部と前記情報対応画像の少なくとも一部とが重なる状態で、当該端末対応画像および当該情報対応画像を前記表示装置に表示する請求項１７に記載の情報処理装置である。
請求項１９に記載の発明は、前記表示制御手段は、対応付いた前記端末対応画像および前記情報対応画像を、前記表示装置の表示画面の中央部および周縁のうちの、当該周縁に近い側に表示する請求項１７に記載の情報処理装置である。
請求項２０に記載の発明は、前記表示制御手段は、前記端末装置の携行者から提供される前記情報が送信された場合に、前記情報対応画像を消去する請求項１６乃至１９の何れかに記載の情報処理装置である。
請求項２１に記載の発明は、表示装置を備えた情報処理装置に設けられたコンピュータ装置にて実行可能なプログラムであり、前記情報処理装置の周囲に位置する端末装置に対応する画像である端末対応画像を前記表示装置に表示する機能と、前記端末装置へ提供される情報に対応する画像である情報対応画像を、前記表示装置に表示する機能と、をコンピュータ装置に実現するためのプログラムである。
請求項２２に記載の発明は、表示装置を備えた情報処理装置に設けられたコンピュータ装置にて実行可能なプログラムであり、前記情報処理装置の周囲に位置する端末装置に対応する画像である端末対応画像を前記表示装置に表示する機能と、前記端末装置の携行者から提供される情報に対応する画像である情報対応画像を、前記表示装置に表示する機能と、をコンピュータに実現させるためのプログラムである。
【発明の効果】
【０００６】
請求項１の発明によれば、ユーザが携行する端末装置に対応する画像を、表示装置に表示しない場合に比べ、情報の提供先となる装置をより特定しやすくなる。
請求項２の発明によれば、情報対応画像を端末対応画像に動かす操作を行うことで、端末対応画像に対応する端末装置に、情報対応画像に対応した情報を提供できるようになる。
請求項３の発明によれば、表示画面の中央部から端末装置に向かう方向と、この中央部から端末対応画像に向かう方向とが揃わない場合に比べ、端末装置に対応する端末対応画像を把握しやすくなる。
請求項４の発明によれば、情報対応画像を表示画面の周縁側へ移動させることで、情報対応画像を、端末対応画像に近づけることができるようになる。
請求項５の発明によれば、表示画面の中央部以外の箇所に、情報対応画像が表示される場合に比べ、複数のユーザが、情報対応画像に対する操作を行う際の操作性を向上させることができる。
請求項６の発明によれば、対応付ける操作の有無に関わらず予め定められた処理が行われる場合に比べ、ユーザが意図していない処理が行われることをより確実に防止できる。
請求項７の発明によれば、情報表示画像の少なくとも一部と端末対応画像の少なくとも一部とを重ねる操作の有無に関わらず予め定められた処理が行われる場合に比べ、ユーザが意図していない処理が行われることをより確実に防止できる。
請求項８の発明によれば、情報対応画像および端末対応画像の少なくとも一方を他方に向けて移動させる操作の有無に関わらず予め定められた処理が行われる場合に比べ、ユーザが意図していない処理が行われることをより確実に防止できる。
請求項９の発明によれば、表示装置に対する操作を条件として表示の内容を変更する場合に比べ、表示の内容を変更する際のユーザの手間を低減できる。
請求項１０の発明によれば、表示画面に表示されている画像を、表示画面の周縁から離れる方向へ移動させる場合に比べ、表示画面に表示されている画像に対する操作をユーザが行う際の操作性が低下することを抑制できる。
請求項１１の発明によれば、表示装置が側方を向いている場合に比べ、情報処理装置の周囲からの表示装置へのアクセスを行いやすいものにできる。
請求項１２の発明によれば、情報処理装置の断面形状、表示画面の形状が、円形や楕円形以外の形状である場合に比べ、情報処理装置の周囲からの表示装置へのアクセスを行いやすいものにできる。
請求項１３の発明によれば、複数のユーザの各々が有する端末装置に対応する端末対応像を、表示装置に表示することができる。
請求項１４の発明によれば、表示画面の中央部から端末装置に向かう方向と、この中央部から端末対応画像に向かう方向とが揃わない場合に比べ、端末装置に対応する端末対応画像を把握しやすくなる。
請求項１５の発明によれば、情報処理装置の周囲に位置するユーザについての情報を文字情報で表示する場合に比べ、情報処理装置の周囲に位置するユーザについての情報を直観的に把握しやすくなる。
請求項１６の発明によれば、ユーザが携行する端末装置に対応する画像を、表示装置に表示しない場合に比べ、情報の提供元をより特定しやすくなる。
請求項１７の発明によれば、端末対応画像と情報対応画像とを対応付けない状態で、端末対応画像および情報対応画像を表示する場合に比べ、端末対応画像に対応している情報対応画像がより明確となる。
請求項１８の発明によれば、端末対応画像と情報対応画像とを離間した状態で表示する場合に比べ、端末対応画像に対応している情報対応画像がより明確となる。
請求項１９の発明によれば、対応付いた端末対応画像および情報対応画像を、表示画面の中央部に近い側に表示する場合に比べ、対応付いた端末対応画像および情報対応画像を、表示画面の中央部に向けて移動させる操作をより行いやすいものにできる。
請求項２０の発明によれば、情報対応画像を消去しない場合に比べ、端末装置の携行者から提供される情報が送信されたことがより明確となる。
請求項２１の発明によれば、ユーザが携行する端末装置に対応する画像を、表示装置に表示しない場合に比べ、情報の提供先となる装置をより特定しやすくなる。
請求項２２の発明によれば、ユーザが携行する端末装置に対応する画像を、表示装置に表示しない場合に比べ、情報の提供元をより特定しやすくなる。
【図面の簡単な説明】
【０００７】
【図１】（Ａ）、（Ｂ）は、情報処理装置を説明する図である。
【図２】情報処理装置のハードウエアの構成を示した図である。
【図３】情報処理装置のＣＰＵ等により実現される各機能部を示した図である。
【図４】情報処理装置の周囲に位置するユーザが動いた際の表示画面を説明する図である。
【図５】（Ａ）〜（Ｅ）は、表示装置における他の表示例を示した図である。
【図６】情報処理装置の他の動作状態を示した図である。
【図７】表示画面の他の表示例を示した図である。
【図８】（Ａ）、（Ｂ）は、表示画面の動きを説明する図である。
【図９】表示画面の動きを説明する図である。
【図１０】（Ａ）、（Ｂ）は、端末装置から情報処理装置へ情報送信（情報提供）を行う場合における表示画面を示した図である。
【発明を実施するための形態】
【０００８】
以下、添付図面を参照して、本発明の実施の形態について説明する。
図１（Ａ）、（Ｂ）は、本実施形態に係る情報処理装置１００を説明する図である。図１（Ａ）は、情報処理装置１００の斜視図であり、図１（Ｂ）は、情報処理装置１００の上面図である。
図１（Ｂ）に示すように、本実施形態の情報処理装置１００は、柱状に形成され、上下方向に沿うように設けられている。具体的には、一方の端部１００Ａが、床面側に設置され、他方の端部１００Ｂに、上方を向く表示装置２００が設置されている。
【０００９】
ここで、「柱状」とは、一端を始点として一方向に向かって延びる形状をいう。
柱状には、筒状および中実状の両者が含まれる。また、柱状には、内部に空洞がある形状も含まれる。また、柱状には、円盤形状など、径方向における寸法よりも軸方向における寸法の方が小さい形状も含まれる。
【００１０】
情報処理装置１００の設置場所は、特に制限されるものではないが、例えば、企業内の共有スペースや、会議室等に設置される。また、その他に、駅などの公共の施設に置かれる場合もある。
また、この情報処理装置１００は、インターネットなどの通信回線を通じて外部サーバ（不図示）に接続され、この外部サーバとの間で情報の送受信を行う。この情報処理装置１００は、エッジサーバとしての役割も有する。
【００１１】
図１（Ｂ）に示すように、情報処理装置１００は、情報処理装置１００の軸方向に直交する面における断面形状が、円形となるように形成されている。さらに、情報処理装置１００の上部に、表示装置２００が設置され、表示装置２００の表示画面２１０は、円形となっている（図１（Ａ）も参照）。
なお、情報処理装置１００の断面形状は、円形に限らず、楕円形としてもよい。また、その他に、四角形、五角形など、多角形状としてもよい。さらに、これらの形状に該当しない異形形状としてもよい。
【００１２】
また、情報処理装置１００の断面形状は、情報処理装置１００の軸方向における位置に応じて異ならせてよく、例えば、床面側を四角形状とし、上部側を円形としてもよい。
また、その他に、例えば、上部に表示装置２００を設け、表示装置２００の下部に、下方に向かって延びる脚部を備えた構成としてもよい。
また、表示装置２００の表示画面２１０も、円形に限らず、楕円形や、四角形などの多角形状としてもよい。
【００１３】
また、図１（Ｂ）に示すように、情報処理装置１００には、円柱状の装置本体１１０、この装置本体１１０の外周面に取り付けられた複数の外装部材１２０が設けられている。
外装部材１２０は、四角形状で形成され、また、対角線が上下方向および水平方向に沿うように設置されている。また、互いに隣接する外装部材１２０の間には、隙間Ｇが設けられている。
【００１４】
図２は、情報処理装置１００のハードウエアの構成を示した図である。
図２に示すように、情報処理装置１００は、ＣＰＵ（Central Processing Unit）２０１、ＲＡＭ（Random Access Memory）２０２、ＲＯＭ（Read Only Memory）２０３、磁気記憶装置２０４を備える。さらに、情報処理装置１００は、外部との通信を行うための通信装置（通信Ｉ／Ｆ）２０５を備える。
【００１５】
通信装置２０５は、外部サーバとの間で通信を行う。また、通信装置２０５は、後述する端末装置との間で通信を行う。ここで、通信装置２０５は、無線通信方式を用いて、この端末装置との通信を行う。無線通信方式としては、Ｗｉ−Ｆｉ（登録商標）（Wireless Fidelity）、Bluetooth（登録商標）、ZigBee（登録商標）、ＵＷＢ（Ultra Wideband）等の既存の方式を用いてよい。
【００１６】
ＲＯＭ２０３、磁気記憶装置２０４は、ＣＰＵ２０１により実行されるプログラムを記憶する。ＣＰＵ２０１は、ＲＯＭ２０３や磁気記憶装置２０４に記憶されているプログラムを読み出し、ＲＡＭ２０２を作業エリアにしてプログラムを実行する。
ＣＰＵ２０１により、ＲＯＭ２０３や磁気記憶装置２０４に格納されたプログラムが実行されることで、後述する各機能部が実現される。
【００１７】
ここで、ＣＰＵ２０１によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で、情報処理装置１００へ提供しうる。また、ＣＰＵ２０１によって実行されるプログラムは、インターネットなどの通信手段を用いて情報処理装置１００へダウンロードしてもよい。
【００１８】
さらに、情報処理装置１００には、表示装置２００、ＬＥＤなどにより構成される発光体２０６、人感センサ２０７、カメラ２０８、映像を投影する投影装置２０９が設けられている。
表示装置２００は、例えば、タッチパネル方式のディスプレイにより構成され、ユーザへの情報の表示を行うとともに、ユーザからの操作を受け付ける。
発光体２０６は、ＬＥＤ（light emitting diode）などの光源と、この光源の点灯制御を行う制御基板とにより構成される。
【００１９】
人感センサ２０７は、例えば、赤外線センサなどにより構成され、情報処理装置１００の周囲に位置するユーザを検知する。
撮像装置の一例としてのカメラ２０８は、ＣＣＤイメージセンサなどを含んで構成され、情報処理装置１００の周囲の状況を撮影する。
投影装置２０９は、いわゆるプロジェクターであり、情報処理装置１００の周囲に位置する壁や床面に対して、画像の投影を行う。
【００２０】
図３は、情報処理装置１００のＣＰＵ２０１等により実現される各機能部を示した図である。ＣＰＵ２０１により、ＲＯＭ２０３や磁気記憶装置２０４に格納されたプログラムが実行されることで、図３にて示す各機能部が実現される。
本実施形態の情報処理装置１００には、図３に示すように、端末検知部２５１、表示制御部２５２、処理部２５３、動き検知部２５４、ユーザ情報表示部２５５が設けられている。
【００２１】
検知手段の一例としての端末検知部２５１は、通信装置２０５にて受信される情報を解析して（端末装置から発信される、端末装置であることを示す情報を受信して）、情報処理装置１００の周囲に端末装置があることを検知する。
表示制御手段の一例としての表示制御部２５２は、表示装置２００の表示制御を行う。
処理手段の一例としての処理部２５３は、表示装置２００に対するユーザ操作があった場合に、このユーザ操作に予め対応付けられている処理を実行する。
【００２２】
検知手段の一例としての動き検知部２５４は、カメラ２０８から出力されてくる映像を解析して、情報処理装置１００の周囲に位置するユーザの動きを検知する。
ユーザ情報表示手段の一例としてのユーザ情報表示部２５５は、発光体２０６の色を変化させることで、情報処理装置１００の周囲に位置するユーザについての情報を表示する。
【００２３】
図１（Ａ）、（Ｂ）を再度参照し、情報処理装置１００についてさらに説明する。
上記のとおり（図１（Ｂ）に示すように）、本実施形態では、互いに隣り合う外装部材１２０の間に、隙間Ｇが設けられている。そして、本実施形態では、この隙間Ｇに、上記にて説明した、発光体２０６、人感センサ２０７、カメラ２０８、投影装置２０９が設けられている。
【００２４】
より具体的には、一の外装部材１２０が有する角部と、この一の外装部材１２０の隣に位置する他の外装部材１２０が有する角部との間に（図中、符号１Ｂで示す部分などに）、発光体２０６、人感センサ２０７、カメラ２０８、投影装置２０９が設けられている。
発光体２０６、人感センサ２０７、カメラ２０８、投影装置２０９は、１箇所だけではなく、情報処理装置１００の周方向における位置が互いに異なる複数箇所に設置されている。
【００２５】
本実施形態では、人感センサ２０７が設けられており、情報処理装置１００にユーザが近づくと、このユーザが検知される。より具体的には、情報処理装置１００からの距離が例えば５ｍとなる範囲内に（情報処理装置１００からの距離が予め定められた距離となる範囲内に）、ユーザが入ると、このユーザは、人感センサ２０７により検知される。
さらに、本実施形態では、カメラ２０８により得られた情報をもとに、処理部２５３によって、このユーザの顔認証が行われ、このユーザが特定される。そして、本実施形態では、図１（Ａ）に示すように、表示装置２００に、このユーザに対応した表示が行われる。なお、表示装置２００における表示に加え、又は、表示装置２００における表示に替えて、投影装置２０９を用いて壁や床面への表示を行ってもよい。
【００２６】
この例では、「Ｈａｎａｋｏ」というユーザが認識された場合を例示しており、この「Ｈａｎａｋｏ」というユーザに対応した画像が、表示画面２１０に表示される。
具体的には、この表示画面２１０では、ユーザによる選択が行われる複数の選択用画像（選択用ボタン）２７１が表示される。ユーザが、この選択用画像２７１の何れか押圧して選択すると、処理部２５３が、メール送信や、情報表示など、選択用画像２７１に対応付けられた処理を実行する。なお、本実施形態では、ユーザの操作を、タッチパネルである表示画面２１０にて受け付けたが、その他に、例えば、床の振動を検知するセンサを設け、ユーザが足で床をタップ等する動作を検出して、ユーザの操作を検出するようにしてもよい。
【００２７】
また、本実施形態では、カメラ２０８によりユーザの認証（特定）を行ったが、ユーザの認証は、他の方法により行ってもよい。
例えば、ユーザが携行する端末装置（後述）から情報を得て、ユーザの認証を行ってもよい。また、例えば、ユーザが有するＩＤカードの情報をカードリーダで読み取って、ユーザの認証を行ってもよい。
【００２８】
図４は、情報処理装置１００の周囲に位置するユーザが動いた際の表示画面２１０を説明する図である。
本実施形態では、情報処理装置１００の周囲にいるユーザが、情報処理装置１００の周方向へ移動すると、移動するこのユーザの動きが、動き検知部２５４（図３参照）により検知される。
より具体的には、動き検知部２５４は、複数設けられたカメラ２０８から出力された映像を解析して、ユーザの動き（情報処理装置１００の周方向へ移動する動き）を検知する。
【００２９】
そして、本実施形態では、動き検知部２５４によりユーザの動きが検知された場合、表示制御部２５２が、表示装置２００における表示の内容を変更する。
具体的には、表示制御部２５２は、ユーザが周方向へ動いた場合、表示装置２００に表示されている画像（選択用画像２７１）を、表示画面２１０の周縁２１１に沿って移動させる。
【００３０】
選択用画像２７１の移動にあたり、本実施形態では、ユーザが移動する方向と同方向に、選択用画像２７１を移動させる。この例では、反時計回り方向へユーザが移動する場合を例示しており、選択用画像２７１も、反時計回り方向へ移動する。
さらに、本実施形態では、選択用画像２７１が１つ分移動すると、移動方向における最下流に位置する１つの選択用画像２７１が消え、移動方向における最上流に位置する箇所に、新たな選択用画像２７１が表示される。
【００３１】
言い換えると、本実施形態では、選択用画像２７１の総数よりも少ない数の選択用画像２７１が表示されており、ユーザが移動した場合には、一部の選択用画像２７１が消去され、他の選択用画像２７１が新たに表示される。
なお、上記では、ユーザが移動する方向と同方向に、選択用画像２７１を移動させたが、ユーザが移動する方向とは逆方向に、選択用画像２７１を移動させてもよい。
【００３２】
図５（Ａ）〜（Ｅ）は、表示装置２００における他の表示例を示した図である。
本実施形態では、複数のユーザの特定を行えるようになっており、情報処理装置１００の周囲に複数のユーザがいる場合には、この複数のユーザに対応した表示画面２１０となる。
具体的には、本実施形態では、情報処理装置１００の周囲に位置するユーザが１人である場合には、図５（Ａ）に示す表示となるが、情報処理装置１００の周囲に位置するユーザが、例えば２人となると、図５（Ｂ）に示す表示となる。
【００３３】
図５（Ｂ）にて示す表示画面２１０では、ユーザＡが位置する側に（ユーザＡに近い側に）、ユーザＡに対応した選択用画像２７１が表示され、ユーザＢが位置する側に（ユーザＢに近い側に）、ユーザＢに対応した選択用画像２７１が表示される。
さらに、ユーザＡに対応した選択用画像２７１と、ユーザＢに対応した選択用画像２７１との間に、両者の間を横切る仕切り線２１３が表示される。
【００３４】
言い換えると、本実施形態では、ユーザの各々に対応して表示される対応画像の一例である選択用画像２７１は、この選択用画像２７１に対応するユーザが立っている側に寄せられて表示される。さらに、各ユーザに対応して表示された選択用画像２７１の間に、一のユーザ側に位置する領域と、他のユーザ側に位置する領域とを仕切る仕切り線２１３が表示される。
これにより、一のユーザが、他のユーザのために表示された選択用画像２７１を選択することが起きにくくなる。
【００３５】
図５（Ｃ）では、ユーザＡ、ユーザＢ、ユーザＣの３名が、情報処理装置１００の周囲に位置する場合の表示画面２１０を示している。
この場合も、上記と同様、ユーザの各々に対応して表示される選択用画像２７１は、この選択用画像２７１に対応するユーザが立っている側に寄せられて表示される。さらに、互いに隣り合うユーザの各々に対応して表示された選択用画像２７１の間に、上記と同様、仕切り線２１３が表示されている。
【００３６】
さらに、本実施形態では、図５（Ｄ）の矢印５Ａで示すように、一のユーザに対応した一の領域から、他のユーザに対応した他の領域に、一の領域内に位置する選択用画像２７１を移動させられるようになっている。これにより、例えば、一のユーザが有するファイル（情報）が、他のユーザに提供されるようになる。
【００３７】
また、図５（Ｅ）に示す例では、表示画面２１０の中央部に、円形の仕切り線２１３により囲まれた円形の領域２１４が設けられている。
言い換えると、この例では、表示画面２１０の中央部に、複数のユーザにより共有される共有領域が設けられている。ここで、この共有領域は、選択用画像２７１が表示されない領域となっている。
【００３８】
図５（Ｅ）に示す例では、各ユーザは、自身の領域内に位置する選択用画像２７１を、共有領域に移動させられるようになっており、選択用画像２７１を、共有領域に移動させると、この選択用画像２７１が、共有領域に表示される。
そして、本実施形態では、他のユーザが、この共有領域から、自身の領域に、選択用画像２７１を移動させることで、この他のユーザが、この選択用画像２７１に対応した情報を得られるようになる。
【００３９】
図６は、情報処理装置１００の他の動作状態を示した図である。
本実施形態では、上記のとおり、外装部材１２０と外装部材１２０との間に、発光体２０６が設けられている。さらに、この発光体２０６は、複数設けられるとともに、情報処理装置１００の周方向における位置が互いに異なるように配置されている。
【００４０】
本実施形態では、情報処理装置１００の周囲に位置するユーザについての情報を、発光体２０６の色を変化させることで表示する。
具体的には、ユーザ情報表示部２５５（図３参照）が、発光体２０６の各々の制御を行い、情報処理装置１００の周囲に位置するユーザについての情報を表示する。
【００４１】
より具体的には、ユーザ情報表示部２５５は、カメラ２０８（図６では不図示）から出力される情報を解析する。より具体的には、カメラ２０８により得られる映像のうちの、ユーザの顔を撮影している部分を解析し、各ユーザの表情を分析する。
そして、ユーザ情報表示部２５５は、この分析の結果をもとに、ユーザの感情を把握する。より具体的には、カメラ２０８から得られた表情の特徴量を算出し、この特徴量に基づき、ユーザの感情を把握する。
【００４２】
そして、ユーザ情報表示部２５５は、把握したこの感情をもとに、発光体２０６の色を変更する。具体的には、例えば、感情が落ち着いている場合には、緑や青の光が発光されるようにし、感情が乱れている場合には、黄や赤の光が発光されるようにする。
これにより、本実施形態では、情報処理装置１００の外周部を参照することで、情報処理装置１００の周囲に位置するユーザの状態の把握を行える。
なお、本実施形態では、ユーザについての情報として、ユーザの感情についての情報を表示する場合を説明したが、これは一例であり、その他に、例えば、ユーザの体温などを検出し、ユーザの健康状態についての情報を表示するようにしてもよい。
【００４３】
ここで、発光体２０６を発光させるにあたっては、各ユーザの対向位置に位置する発光体２０６を発光させる。
言い換えると、情報処理装置１００を上方から眺めた場合において、表示画面２１０の中央部Ｃからユーザに向かう方向（例えば、符号６Ａで示す方向）と、この中央部Ｃから、このユーザの感情を表す発光体２０６に向かう方向（例えば、符号６Ｂで示す方向）とが一致するように、発光体２０６を発行させる。言い換えると、情報処理装置１００の軸心と、ユーザとを結ぶ線上に位置する発光体２０６を発行させる。
【００４４】
また、本実施形態では、表示画面２１０にも、各発光体２０６の発光状態を表示する。これにより、情報処理装置１００の周囲の雰囲気の確認を、俯瞰的に行える。
ここで、表示画面２１０における、各発光体２０６の発光状態の表示は、発光体２０６に対応する画像を、この発光体２０６に対応したユーザが位置する側に寄せて表示する。
【００４５】
また、表示画面２１０上では、発光体２０６に対応する画像を、情報処理装置１００から各ユーザまでの距離を考慮して表示する。
具体的には、例えば、情報処理装置１００から遠い場所に位置するユーザに対応する画像（発光体２０６を表す画像）ほど、表示画面２１０の周縁２１１に近い箇所に表示し、情報処理装置１００に近い場所に位置するユーザに対応する画像（発光体２０６を表す画像）は、表示画面２１０の中央部Ｃに近い側に表示する。
【００４６】
図７は、表示画面２１０の他の表示例を示した図である。この図７では、ユーザが、端末装置３００を携行している場合の表示例を示している。
ここで、端末装置３００は、コンピュータ装置により構成される。具体的には、端末装置３００は、例えば、スマートフォン、タブレット、ＰＣ（Personal Computer）などにより構成される。端末装置３００の各々は、無線通信方式を用いて、情報処理装置１００との通信を行う。無線通信方式としては、Ｗｉ−Ｆｉ（登録商標）（Wireless Fidelity）、Bluetooth（登録商標）、ZigBee（登録商標）、ＵＷＢ（Ultra Wideband）等の既存の方式を用いてよい。
【００４７】
本実施形態では、ユーザが、端末装置３００を有している場合、端末検知部２５１によりこの端末装置３００が検知され、次いで、表示制御部２５２が、この端末装置３００に対応した画像である端末対応画像３１０を表示する。
この例では、３人のユーザ（不図示）が、情報処理装置１００の周囲に位置し、各ユーザが、端末装置３００を携行している場合を例示している。この場合、３つの端末対応画像３１０が表示される。
【００４８】
言い換えると、この例では、情報処理装置１００の周囲に、端末装置３００が複数存在しており、表示制御部２５２は、表示装置２００に、各端末装置３００に対応する端末対応画像３１０を表示する。これにより、表示装置２００には、複数の端末対応画像３１０が表示されることになる。
さらに、この例では、端末装置３００へ情報が提供される場合を例示しており、表示制御部２５２は、表示装置２００に、端末装置３００へ提供される情報に対応する画像である情報対応画像３２０を表示する。
【００４９】
より具体的には、表示制御部２５２は、表示画面２１０の中央部Ｃに、情報対応画像３２０を表示する。
ここで、「表示画面２１０の中央部Ｃ」とは、表示画面２１０が円形の場合、表示画面２１０の径方向における中心部を指し、表示画面２１０が楕円形の場合、長軸と短軸とが交わる箇所を指す。また、表示画面２１０が四角形の場合、対角線同士が交わる箇所をさす。言い換えると、表示画面２１０の中央部Ｃとは、表示画面２１０の重心位置を指す。
また、「中央部Ｃに情報対応画像３２０を表示する」とは、情報対応画像３２０の外周縁３２１よりも内側にこの中央部Ｃが位置するように、情報対応画像３２０を表示することをいう。言い換えると、情報対応画像３２０の少なくとも一部が、中央部Ｃに位置するように、情報対応画像３２０を表示することをいう。
【００５０】
また、図７に示すように、本実施形態では、端末対応画像３１０の表示にあたっては、情報対応画像３２０よりも、表示画面２１０の周縁２１１に近い側に、端末対応画像３１０を表示する。
言い換えると、表示画面２１０の中央部Ｃ側ではなく、ユーザが立っている側に、端末対応画像３１０を表示する。付言すると、本実施形態では、端末対応画像３１０は、表示画面２１０の中央部Ｃには表示しない。
【００５１】
さらに、本実施形態では、表示画面２１０の中央部Ｃから各端末装置３００に向かう方向（例えば、矢印７Ａで示す方向）と、表示画面２１０の中央部Ｃから端末対応画像３１０に向かう方向（例えば、矢印７Ｂで示す方向）とが揃うように、端末対応画像３１０が表示装置２００に表示される。
より具体的には、図７は、情報処理装置１００および端末装置３００を上方から眺めた状態を示しており、この状態において、表示画面２１０の中央部Ｃから各端末装置３００に向かう方向と、表示画面２１０の中央部Ｃから端末対応画像３１０に向かう方向とが揃うように、端末対応画像３１０が表示される。
【００５２】
言い換えると、本実施形態では、情報処理装置１００の周方向における端末装置３００の位置と、情報処理装置１００の周方向における端末対応画像３１０の位置とが一致するように、端末対応画像３１０が表示装置２００に表示される。
ここで、本実施形態では、端末装置３００の位置（情報処理装置１００の周方向における位置）は、この端末装置３００を携行しているユーザの位置に基づき把握する。
具体的には、本実施形態では、カメラ２０８により得られた情報をもとに、処理部２５３によって、このユーザの顔認証が行われ、このユーザが特定され、さらに、このユーザの位置が把握される。
そして、情報処理装置１００は、位置を把握したこのユーザがいる位置に、このユーザに対して予め対応付けて登録されている端末装置３００が位置すると判断する。付言すると、本実施形態では、ユーザについての情報と端末装置３００についての情報とが予め対応付けられた状態で情報処理装置１００や外部サーバ等に登録されており、本実施形態では、ユーザの位置を把握し、把握したこのユーザの位置に、端末装置３００が位置すると判断する。
ここで、上記「揃う」や、上記「一致」とは、表示画面２１０の中央部Ｃから各端末装置３００に向かう方向と、中央部Ｃから端末対応画像３１０に向かう方向とのなす角度が、０°であるものに限定されず、２０°未満の角度を有するものを意味する。
【００５３】
図８（Ａ）、（Ｂ）、図９は、表示画面２１０の動きを説明する図である。なお、図８、図９では、情報処理装置１００の周囲に位置する端末装置３００が１つの場合の表示例を示している。
本実施形態の表示装置２００は、上記のとおり、タッチパネル方式の表示装置２００となっており、表示画面２１０に指を押し当てることで、情報対応画像３２０（図８（Ａ）参照）の選択を行える。
【００５４】
さらに、本実施形態では、図８（Ａ）の矢印８Ａで示すように、情報対応画像３２０の選択を行ったこの指を端末対応画像３１０に向けて移動させることで、情報対応画像３２０を端末対応画像３１０に向けて移動させられる。
そして、本実施形態では、情報対応画像３２０が端末対応画像３１０まで移動し、情報対応画像３２０の少なくとも一部と端末対応画像３１０の少なくとも一部とが重なるようになると、表示画面２１０が、図８（Ｂ）に示す表示画面２１０に切り替わる。
言い換えると、本実施形態では、ユーザによって、情報対応画像３２０と端末対応画像３１０とを対応付ける操作が行われると、予め定められた処理の一例である切り替え処理が行われて、表示画面２１０が、図８（Ｂ）に示す表示画面２１０に切り替わる。
【００５５】
ここで、図８にて示すこの表示例では、端末対応画像３１０は、人（人の顔）を模した画像となっており、情報対応画像３２０と端末対応画像３１０とを対応付ける操作が行われると、図８（Ｂ）に示すように、端末対応画像３１０により表されている人の上に、情報対応画像３２０が載るようになる。言い換えると、情報対応画像３２０と端末対応画像３１０とを対応付ける操作が行われると、端末対応画像３１０が変化する。
これにより、本実施形態では、情報処理装置１００から端末装置３００へ情報が送信されることが、より明確にユーザに伝わるようになる。
【００５６】
ここで、情報対応画像３２０と端末対応画像３１０とを「対応付ける操作」とは、情報対応画像３２０と端末対応画像３１０との間に関連性があることが分かるような表示にするための操作をいい、この「対応付ける操作」としては、上記のように、情報対応画像３２０と端末対応画像３１０とを重ねる操作が、一例として挙げられる。
その他に、例えば、情報対応画像３２０および端末対応画像３１０の少なくとも一方を他方に向けて移動させる操作も、「対応付ける操作」と言える。言い換えると、情報対応画像３２０と端末対応画像３１０との離間距離を小さくする操作も、「対応付ける操作」と言える。
【００５７】
また、例えば、情報対応画像３２０および端末対応画像３１０の一方から他方に向けて指を移動させて、両者を結ぶ線分を表示画面２１０上に表示する操作や、情報対応画像３２０および端末対応画像３１０の両者を選択して、両者の色を、例えば赤色にするなど、同色とする操作も、「対応付ける操作」といえる。
また、例えば、情報対応画像３２０および端末対応画像３１０の両者を囲むように指を移動させて、両者を囲む線を表示画面２１０上に表示する操作も、「対応付ける操作」といえる。
【００５８】
その後（図８（Ｂ）に示す状態となった後）、本実施形態では、情報処理装置１００から端末装置３００へ予め定められた信号が送信される。
具体的には、端末対応画像３１０に情報対応画像３２０が重ねられると、Bluetoothなどの通信方式が用いられて、情報処理装置１００から端末装置３００へ予め定められた信号が送信される。
【００５９】
そして、この信号を受信した端末装置３００は、例えば、情報処理装置１００からの情報を受信してもよいかの問い合わせをユーザ（端末装置３００の携行者）に対して行う。
そして、受信してもよいとの返答があった場合、この返答結果が、情報処理装置１００に送信される。そして、返答結果を受信した情報処理装置１００は、情報対応画像３２０に対応した情報を、Ｗｉ−Ｆｉなどの通信方式を用いて、端末装置３００に送信する。
このように、本実施形態では、情報対応画像３２０を端末対応画像３１０に動かす操作に基づいて、端末対応画像３１０に対応する端末装置３００に、情報対応画像３２０に対応した情報が提供される。
【００６０】
なお、本実施形態では、端末装置３００にてユーザへの問い合わせを行い、受信してもよいとの返答があった場合に、端末装置３００へ情報を送信する場合を一例に説明したが、端末装置３００でのユーザへの問い合わせは省略してもよい。
この場合は、端末対応画像３１０に情報対応画像３２０が重ねられる操作があると、上記問い合わせをせずに、情報処理装置１００から端末装置３００への情報送信が行われる。
【００６１】
その後（端末装置３００への情報送信が完了すると）、本実施形態では、図９に示すように、端末対応画像３１０が、元の状態に戻る。
具体的には、端末対応画像３１０に重なった状態で表示されていた情報対応画像３２０が、表示画面２１０の中央部Ｃに戻るようになる。言い換えると、情報対応画像３２０と端末対応画像３１０とが対応付けられていない状態に戻る。
【００６２】
なお、本実施形態では、情報対応画像３２０を端末対応画像３１０に向けて移動させると、表示画面２１０の中央部Ｃには、情報対応画像３２０が一時的に存在しなくなる表示例を説明した（図８（Ｂ）参照）。
これは一例であり、情報対応画像３２０を端末対応画像３１０に向けて移動させる場合、情報対応画像３２０を複製したものが、端末対応画像３１０に向けて移動するようにしてもよい。即ち、表示画面２１０の中央部Ｃに、情報対応画像３２０が依然として残る表示形態としてもよい。
この場合、一のユーザが、情報対応画像３２０を移動させている最中に、他のユーザも、自身の端末対応画像３１０に向けての情報対応画像３２０の移動を行える。
【００６３】
また、上記では、ユーザの各々が、自身に対応した端末対応画像３１０に向けて、情報対応画像３２０を移動させる場合を説明したが、例えば、一人の専任の担当者が、情報対応画像３２０を、複数の端末対応画像３１０の各々に向けて移動させるようにしてもよい。言い換えると、一人の専任の担当者が、情報対応画像３２０を、複数の端末対応画像３１０の各々に配布するようにしてもよい。
【００６４】
また、上記では、情報対応画像３２０を端末対応画像３１０に向けて移動させた場合に、情報送信が行われる場合を説明したが、端末対応画像３１０を情報対応画像３２０に向けて移動させることで、情報送信が行われるようにしてもよい。
また、端末対応画像３１０および情報対応画像３２０の両者を互いに接近させることで、情報送信が行われるようにしてもよい。
また、その他に、例えば、情報対応画像３２０および端末対応画像３１０の少なくとも一方に対するフリック操作（一方を他方に向けて移動させる操作）が行われたら、情報の送信が行われるようにしてもよい。
【００６５】
また、その他に、表示画面２１０の中央部Ｃ側に、端末対応画像３１０を表示し、表示画面２１０の周縁２１１側に、情報対応画像３２０を表示し、情報対応画像３２０を、中央部Ｃ側に移動させるようにしてもよい。また、これとは逆に、中央部Ｃ側に位置する端末対応画像３１０を、周縁２１１側に移動させるようにしてもよい。また、このように一方のみを移動させるのではなく、両者を移動させるようにしてもよい。
【００６６】
また、例えば、表示画面２１０が四角形である場合には、表示画面２１０の左側に、情報対応画像３２０を表示し、右側に位置する端末対応画像３１０に向けてこの情報対応画像３２０を移動させる構成としてもよい。
また、その他に、例えば、表示画面２１０が四角形である場合には、表示画面２１０の上側に、情報対応画像３２０を表示し、下側に位置する端末対応画像３１０に向けてこの情報対応画像３２０を移動させる構成としてもよい。
【００６７】
図１０（Ａ）、（Ｂ）は、端末装置３００から情報処理装置１００へ情報送信（情報提供）を行う場合における表示画面２１０を示した図である。
端末装置３００から情報処理装置１００への情報の送信にあたっては、まず、ユーザが自身の端末装置３００を操作して、情報送信のためのアプリケーションを起動する。これにより、図１０（Ａ）に示すように、端末装置３００の表示画面３００Ａには、複数の、画像データや文書データなどのデータ（ファイル）３５０が表示される。
【００６８】
そして、ユーザは、例えば、端末装置３００の表示画面３００Ａに対する操作を行い、送信を行うデータ３５０の選択を行う。そして、ユーザは、送信ボタン３６０を押圧する。
これにより、Ｗｉ−Ｆｉなどの通信方式が用いられて、端末装置３００から情報処理装置１００への情報送信が行われる。
【００６９】
そして、本実施形態では、端末装置３００から情報処理装置１００への情報送信が行われると、図１０（Ｂ）に示すように、情報処理装置１００の表示画面２１０に、端末対応画像３１０が表示され、さらに、端末装置３００から送信された情報（端末装置３００の携行者から提供された情報）に対応する画像である情報対応画像３２０が表示される。
【００７０】
具体的には、本実施形態では、表示画面２１０の当初の状態は、図１０（Ａ）に示すように、端末対応画像３１０のみが表示された状態であったが、端末装置３００から情報処理装置１００への情報送信が行われると、図１０（Ｂ）に示すように、情報対応画像３２０も表示される。
ここで、図１０（Ｂ）に示す表示画面２１０では、端末対応画像３１０と情報対応画像３２０とが対応付いた状態で、端末対応画像３１０および情報対応画像３２０が表示される。
【００７１】
具体的には、図１０（Ｂ）に示す表示画面２１０では、端末対応画像３１０の少なくとも一部と情報対応画像３２０の少なくとも一部とが重なる状態で、端末対応画像３１０および情報対応画像３２０が表示される。
より具体的には、この例でも、端末対応画像３１０は、人（人の顔）を模した画像となっており、図１０（Ｂ）に示す表示画面２１０では、端末対応画像３１０により表されている人の上に、情報対応画像３２０が載るようになる。
【００７２】
ここで、図１０（Ｂ）に示す表示画面２１０では、端末対応画像３１０および情報対応画像３２０（端末対応画像３１０と情報対応画像３２０とが重なった画像（以下、「重なり画像３８０」と称する）は、表示画面２１０の中央部Ｃおよび周縁２１１のうちの、周縁２１１に近い側に表示される。
また、上記の「端末対応画像３１０と情報対応画像３２０とが対応付いた状態で表示」とは、情報対応画像３２０と端末対応画像３１０との間に関連性があることが分かるように表示することをいい、情報対応画像３２０と端末対応画像３１０とを重ねて表示するものに限られない。
【００７３】
例えば、情報対応画像３２０と端末対応画像３１０とが、離間しているが、互いに接近して配置されている場合も、「対応付いた状態で表示」と言える。
また、例えば、情報対応画像３２０および端末対応画像３１０の両者を結ぶ線分が表示されている状態や、情報対応画像３２０および端末対応画像３１０が、同色で表示されている場合も、「対応付いた状態で表示」と言える。
また、例えば、情報対応画像３２０と端末対応画像３１０とが横並びや縦並びで配置されている場合も、「対応付いた状態で表示」と言える。さらに、例えば、情報対応画像３２０および端末対応画像３１０の両者を囲む線（枠）が表示されている場合も、「対応付いた状態で表示」と言える。
【００７４】
その後（図１０（Ｂ）の表示がなされた後）、本実施形態では、重なり画像３８０がユーザにより選択され（ユーザの指により押圧されることで選択され）、さらに、この指が表示画面２１０に中央部Ｃに向けて移動される（矢印１０Ａで示す方向に向けて移動される）。これにより、重なり画像３８０が、表示画面２１０の中央部Ｃまで移動する。
【００７５】
ここで、本実施形態では、ユーザによる重なり画像３８０の操作がなされる前、図１０（Ｂ）に示すように、表示画面２１０の中央部Ｃに、他の画像を表示しないようにしており、表示画面２１０の中央部Ｃに向けて移動される重なり画像３８０の移動先を確保している。
【００７６】
そして、本実施形態では、重なり画像３８０が、表示画面２１０の中央部Ｃまで移動すると、端末装置３００から情報処理装置１００への情報送信が確定する。
その後、本実施形態では、表示制御部２５２が、情報対応画像３２０（端末対応画像３１０の上に重なって表示されていた情報対応画像３２０）を消去するとともに、端末対応画像３１０を、当初の位置に戻す。即ち、表示画面２１０の周縁２１１に近い側へ移動させる。これにより、表示装置２００の表示画面２１０は、図１０（Ａ）にて示した状態に戻る。
【００７７】
なお、表示画面２１０の中央部Ｃには、重なり画像３８０の移動先を示す画像をさらに表示してもよい。重なり画像３８０の移動先を示す画像としては、例えば、情報処理装置１００に対応した画像（情報処理装置１００を表す画像）が挙げられる。
また、重なり画像３８０の移動先を示す画像としては、例えば、表示画面２１０の中央部Ｃに向かう矢印が、一例として挙げられる。
さらに、重なり画像３８０の移動先を示す画像としては、「表示画面２１０の中央部Ｃまで移動してください」などの、文字画像も一例として挙げられる。
【００７８】
また、上記では、重なり画像３８０を、表示画面２１０の周縁２１１側に位置させ、表示画面２１０の中央部Ｃに向けて、重なり画像３８０を移動させる場合を一例に説明したが、これは一例である。
その他に、例えば、表示画面２１０が四角形である場合には、表示画面２１０の左側に、重なり画像３８０を表示し、右側に向けて重なり画像３８０を移動させる構成としてもよい。また、その他に、例えば、表示画面２１０が四角形である場合には、表示画面２１０の下側に、重なり画像３８０を表示し、上側に向けて重なり画像３８０を移動させる構成としてもよい。
【００７９】
（その他）
上記では、端末対応画像３１０、情報対応画像３２０を表示するとともに、これらの画像の一方又は両方を移動させることで、情報の送信処理等が行われる場合を説明したが、端末対応画像３１０および情報対応画像３２０の移動が伴わない場合でも、送信処理等が行われるようしてもよい。
例えば、表示画面２１０上に、送信ボタンなど、送信処理等を実行するための操作受け付け部を表示し、この操作受け付け部に対するユーザからの操作があった場合に、送信処理等などの予め定められた処理が行われるようにしてもよい。
【００８０】
また、上記では、タッチパネル方式の表示装置２００にて、ユーザの操作を受け付けたが、ユーザの操作の受け付けは、マウスやポイントティングデバイスなどの装置を設置し、この装置を介して、ユーザからの操作を受け付けるようにしてもよい。
【符号の説明】
【００８１】
１００…情報処理装置、１００Ａ…端部、１００Ｂ…端部、２００…表示装置、２０６…発光体、２１０…表示画面、２１１…周縁、２５１…端末検知部、２５２…表示制御部、２５４…動き検知部、２５５…ユーザ情報表示部、２７１…選択用画像、３００…端末装置、３１０…端末対応画像、３２０…情報対応画像、３８０…重なり画像、Ｃ…中央部
【図１】
2019090943.tif 000003
【図２】
2019090943.tif 000004
【図３】
2019090943.tif 000005
【図４】
2019090943.tif 000006
【図５】
2019090943.tif 000007
【図６】
2019090943.tif 000008
【図７】
2019090943.tif 000009
【図８】
2019090943.tif 000010
【図９】
2019090943.tif 000011
【図１０】
2019090943.tif 000012